(57)【要約】【課題】  透明表示器の表示を状況に応じて目立たなくする。【解決手段】  特別図柄表示装置３０は透明ＥＬ表示器３１とその背後の液晶シャッタ３２とで構成され、液晶シャッタ３２が開放で特別図柄の表示を行っていないときは透明であり、特別図柄が単に変動表示しているときや外れの表示のときは、液晶シャッタ３２が開放で背景が透明であるから特別図柄の表示は目立たず、特別図柄がリーチ表示になるときは、液晶シャッタ３２を閉じてコントラストを高めて、特別図柄を目立たせる。透明ＥＬ表示器３１の表示が不明瞭であっても問題ないときは表示を目立たなくして、表示を明瞭にするのが好ましいときは目立たせる。【選択図】  図７
2007020716.tif 000002
【特許請求の範囲】
【請求項１】
自発光する透明表示器と、
光の透過率を可変で前記透明表示器の背後に配置されるシャッタ手段と
を備えることを特徴とする表示装置。
【請求項２】
前記透明表示器を制御する表示制御手段を備えることを特徴とする請求項１記載の表示装置。
【請求項３】
前記シャッタ手段を制御する透過光量制御手段を備えることを特徴とする請求項１又は２記載の表示装置。
【請求項４】
請求項１ないし３のいずれか記載の表示装置を備えることを特徴とする遊技機。
【請求項５】
前記表示装置は、透明な遊技盤に取り付けられていることを特徴とする請求項４記載の遊技機。
【請求項６】
前記透明表示器及び前記シャッタ手段は大当たりか否かの抽選を行う主制御装置によって制御されることを特徴とする請求項４又は５記載の遊技機。
【発明の詳細な説明】
【技術分野】
【０００１】
本発明は、表示装置の技術分野に属する。
【背景技術】
【０００２】
パチンコ機等の遊技機において、遊技盤を透明なプラスチック製にして、その背後に例えば２０インチというような大型の液晶表示装置を配置したものがある。
【特許文献１】特開２００５−１５２５８０号公報
【発明の開示】
【発明が解決しようとする課題】
【０００３】
特許文献１に開示されているような大型の表示装置は、専ら演出表示に用いられる演出表示装置であり、大当たり遊技を開始するための特別図柄は、これとは別の特別図柄表示装置に表示されるのが普通である。
【０００４】
つまり、大当たり遊技を開始するためには特別図柄表示装置に大当たりの特別図柄が表示されることが必須であり、たとえ演出表示装置において大当たり抽選の結果に対応した演出図柄が表示されるとしても、演出図柄自体は大当たり遊技の実行とは無関係である。
【０００５】
従って、特許文献１に記載のように、透明な遊技盤の背後に演出表示装置を配置した場合、特別図柄表示装置に関しても透明な遊技盤との調和を図るのが望ましい。そのため、例えば透明ＥＬ表示器のような自発光する透明表示器を特別図柄表示装置として用いることが考えられる。
【０００６】
しかし、演出表示装置の前方に透明表示器を配置すると表示とが重なって、透明表示器の表示が不明瞭になるおそれがある。また、演出表示装置とは重ならないとしても、透明表示器の背後の明るさや部材の色等によっては、同様に透明表示器の表示が不明瞭になるおそれがある。
【０００７】
一方、透明表示器の背面に黒色等の背景部材を配置すれば、上記のような不具合を回避できるが、透明な遊技盤との調和という面では好ましくない。
【課題を解決するための手段】
【０００８】
請求項１記載の表示装置は、自発光する透明表示器と、光の透過率を可変で前記透明表示器の背後に配置されるシャッタ手段とを備えることを特徴とする。
透明表示器の表示が、例えば単に変動表示しているときや、外れの表示のときのように遊技者にとっては重要ではないときには、シャッタ手段を光の透過率が高い状態、例えば透明にして透明表示器の表示を目立たなくできる。
【０００９】
一方、透明表示器の表示がリーチ表示になったり、大当たり表示になるときには、シャッタ手段を光の透過率が低い状態にして透明表示器の背後を暗くすることでコントラストを高めて透明表示器の表示を目立たせることができる。
【００１０】
つまり、透明表示器の表示が不明瞭であっても問題ないときは、透明表示器の表示を目立たなくすることで、演出表示装置の表示を損なわず、透明な遊技盤との調和を図り、透明表示器の表示を明瞭にするのが好ましいときは、透明表示器の表示を目立たせることができる。
【００１１】
自発光する透明表示器としては、非発光時は透明なエレクトロルミネッセンス（ＥＬ）表示器、同じく非発光時は透明なＬＥＤを用いた表示器等が例示される。
シャッタ手段としては、液晶シャッタ、２枚の偏光板の位相変化によって光の透過率を変化させる機構、簾状のストライプ又はスリットが設けられたフィルムを２枚重ねて配置して、それらのストライプ又はスリットの重なり具合で光の透過率を変化させる機構等が例示されるが、回転や平行移動のための機械的な構成を必要としない点で液晶シャッタが優れている。
【００１２】
この表示装置は、例えば請求項６に記載のように、表示装置が装着される機器の制御装置によって透明表示器及びシャッタ手段を制御されてもよい。また、透明表示器又はシャッタ手段を制御する手段を表示装置に備えてもよい。すなわち、請求項２記載の構成や請求項３記載の構成とすることができる。
【００１３】
請求項１〜３の表示装置は、パチンコ機等の遊技機専用ではないが、パチンコ機等の遊技機に装着するのに適している。つまり、遊技機にこの表示装置を備えて請求項４記載の遊技機とするのが好ましい。
【００１４】
特に、請求項５記載のように、表示装置を、透明な遊技盤に取り付けると表示装置の利点を十分に活用できる。
表示装置を透明な遊技盤に取り付ける場合、遊技盤の表裏いずれかに貼り付けてもよいし、遊技盤に埋め込んでもよい。
【００１５】
遊技機の場合、透明表示器及びシャッタ手段を、大当たりか否かの抽選を行う主制御装置にて制御する構成、すなわち請求項６記載の構成にするのが望ましい。
【発明を実施するための最良の形態】
【００１６】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
本実施例は、本発明をパチンコ機に適用した例である。
【００１７】
本実施例のパチンコ機（全体の図示は省略）の遊技盤１０は透明な合成樹脂（本実施例ではポリカーボネート）製であり、図１に示すとおり、一部に切欠があるものの、ほぼ長方形をしている。
【００１８】
遊技盤１０にはレールピン２１によって略円弧状のガイドレール２ａ、２ｂが取り付けられており、ガイドレール２ａ、２ｂによって囲まれた略円形の区画内が遊技領域４とされる。なお、ガイドレール２ａ、２ｂの先端間の切れ目部分は返しゴム（図示略）にて閉じられる。
【００１９】
遊技領域４の最下部には、遊技領域４を通過してきた遊技球をアウト球として排出するためのアウト穴５が設けられており、ガイドレール２ｂには遊技球をアウト穴５に誘導するための凹み２ｃが設けられている。
【００２０】
そのアウト穴５の上方には、開閉板６ａによって開閉されるアタッカー式の大入賞口６が配されている。また、大入賞口６の左右斜め上には、それぞれ普通入賞口７、８が配されている。これら大入賞口６及び普通入賞口７、８は共通のベース板９に組み付けられて入賞口ユニットとされ、ビス１１にて遊技盤１０に取り付けられている。本実施例では入賞口ユニットを採用しているが、大入賞口６、普通入賞口７、８をそれぞれ別々に遊技盤１０に取り付けることもできる。
【００２１】
大入賞口６の上方には電動チューリップ式の可変始動入賞装置１２と始動入賞口１３とを備える複合入賞装置１４が設置されている。
図示するところから明らかなように、可変始動入賞装置１２が閉鎖状態（図示の状態）にあるときには、始動入賞口１３によって可変始動入賞装置１２への入賞を阻まれる（可変始動入賞装置１２へは、開放時しか入賞できない）。この可変始動入賞装置１２は、その左右に配されている通過口１５に遊技球が進入したことに起因する抽選で当たりになると開放される。
【００２２】
可変始動入賞装置１２又は始動入賞口１３に入賞した場合には大当たり抽選が行われ、特別図柄表示装置３０にて特別図柄の変動表示がなされる。大当たり抽選が当たりであれば、変動表示に続いて大当たりを示す特別図柄（大当たり図柄）が確定表示される。その大当たり図柄が確定表示されると大当たり遊技の開始となって、大入賞口６が開放される。
【００２３】
また、特別図柄の変動表示に対応して、遊技盤１０の背後に配されている演出表示装置３５（図４参照。図１には演出表示装置の画面の輪郭に対応する透視域１６を示してある。）にて演出図柄の変動表示がなされる。
【００２４】
この演出図柄の変動表示は特別図柄表示装置３０による特別図柄の変動表示と同時に開始され、特別図柄の確定表示と同時に演出図柄も確定表示される。確定表示される演出図柄は特別図柄の当たり外れに対応しており、大当たり図柄が確定表示されるときは大当たりを示す演出図柄が、外れの特別図柄が確定表示されるときは外れを示す演出図柄が確定表示される。従って、演出表示装置３５の表示だけでも大当たりか否かを判別できる。
【００２５】
演出表示装置３５は遊技盤１０と一体化されているわけでないが（遊技盤１０の一部ではないが）、遊技盤１０には透視域１６の上辺に対応するようにしてガード庇１７が取り付けられ、同下辺に対応するようにしてステージ１８が取り付けられている。また、ステージ１８の左右には風車１９が配されている。
【００２６】
ガード庇１７は、上方からの遊技球が透視域１６（演出表示装置３５の画面の前方）に進入するのを防止するために（遊技球が画面の前方を通って視認性を阻害するのを防止するために）設置されている。ステージ１８は、主に左右から飛来した遊技球をその上面で遊動させて、その中央部から落下させるために設置されている。ステージ１８の中央は始動入賞口１３の真上に位置しているので、遊技球を始動入賞口１３に向かわせることになる。また、ガード庇１７及びステージ１８は、正確にではないが透視域１６すなわち表示装置の画面の上下限界を、風車１９は左右限界を遊技者に示す働きもする。
【００２７】
図示するとおり、遊技領域４には多数の遊技釘２０が植設されている。
遊技領域４の中央上部（ガード庇１７の上方）にはいわゆる天釘として、普通入賞口７、８、始動入賞口１３及び通過口１５の直上にはいわゆる命釘として、それぞれ遊技釘２０が配置されている。また、左右の風車１９及びステージ１８の下方においては、遊技球を複合入賞装置１４又は通過口１５へと誘導するように、列状の遊技釘２０が配置されている。その他、配置密度に差があるものの、適宜に遊技釘２０が配されている。但し、透視域１６（表示装置の画面の前方）には実質的に遊技釘２０は存在しないので、遊技釘２０によって画面の視認性が損なわれることはない。
【００２８】
図２に示すように、特別図柄表示装置３０は透明ＥＬ表示器３１と液晶シャッタ３２とで構成されている。
詳細構造は公知であるので図示及び説明を省略するが、透明ＥＬ表示器３１は、無機ＥＬのセグメント型であり、図７に示すように数字表示用の７セグメント３１ａを３つ並べた形態をしており、０００〜９９９の３桁数字を特別図柄として表示できる。但し、非表示（非発光）のときは７セグメント３１ａは透明であり、またガラス基板や電極等も透明である。つまり、透明ＥＬ表示器３１は全体として透明である。
【００２９】
液晶シャッタ３２は、透明ＥＬ表示器３１と同様に詳細構造は公知であるので図示及び説明を省略するが、光を透過させる状態と光を遮断する状態とに可変である。
図３に示すように、透明ＥＬ表示器３１と液晶シャッタ３２とは、透明ＥＬ表示器３１を前（遊技者側）にして重ねられて、特別図柄表示装置３０を構成している。そして、遊技盤１０の背面１０ａ側に設けられた凹部１０ｂに嵌合状に収容されて、接着剤にて遊技盤１０に取り付けられている。特別図柄表示装置３０と主制御装置４０との間の配線（図４参照）には、透明なフレキシブル配線基板（ＦＰＣ）が用いられており、このＦＰＣは、遊技盤１０の背面１０ａに透明な接着剤で貼り付けられている。またＦＰＣと特別図柄表示装置３０との接続部には透明な導電性接着剤が用いられている。したがって、これらＦＰＣ等が遊技盤１０の透明性を損なうことはない。
【００３０】
なお、特別図柄表示装置３０は、図３のように遊技盤１０の凹部１０ｂに収容せずに、遊技盤１０の表面に接着してもよい。凹部１０ｂに収容する場合も、表面に接着する場合も、遊技盤１０の裏面に限らず前面に特別図柄表示装置３０を配してもよい。但し、遊技領域４は、これを流下する遊技球が特別図柄表示装置３０に接触するおそれがあるので、遊技盤１０の前面に特別図柄表示装置３０を配置する場合は遊技領域４を避けるのが、つまりガイドレール２ａ、２ｂの外側が望ましい。
【００３１】
その特別図柄表示装置３０の取り付け位置は、図１に示すように演出表示装置３５のための透視域１６の左下隅であり、演出表示装置３５の画面に重なる。
パチンコ機の制御系（主要部）は、図４に示すとおりに構成されている。
【００３２】
中枢となる主制御装置４０は、ＣＰＵ、ＲＯＭ、ＲＡＭ、各種のカウンタ、入力回路、出力回路等を備えている（詳細の図示は省略）。
主制御装置４０には、普通入賞口７、８への入賞球をそれぞれ検出する普通入賞スイッチ７ａ、８ａ、始動入賞口１３への入賞球を検出する始動入賞スイッチ１３ａ、通過口１５を通過する遊技球を検出する通過口スイッチ１５ａ、可変始動入賞装置１２への入賞球を検出する始動入賞スイッチ１２ａ、大入賞口６への入賞球を計数するためのカウントスイッチ６ｃ、大入賞口６の内部に設けられている特別領域に入球した遊技球を検出するための特別領域スイッチ６ｄや、パチンコ機の各部に設置されているスイッチ、センサ等の検出信号が入力される。
【００３３】
主制御装置４０は搭載しているプログラムに従って動作して、上述の検出信号などに基づいて遊技の進行に関わる各種のコマンドを生成して演出画像制御装置３６や図示しない賞球制御基板、発射制御基板、ランプ制御基板、音制御基板に出力する。これら賞球制御基板、発射制御基板、ランプ制御基板及び音制御基板の制御対象や制御動作は公知技術と同様であるから説明は省略する。
【００３４】
また、大入賞口６の開閉板６ａを開閉するためのソレノイド６ｂ、可変始動入賞装置１２を開閉するためのソレノイド１２ｂ、特別図柄表示装置３０（透明ＥＬ表示器３１及び液晶シャッタ３２）や図示しない普通図柄表示装置、特別図柄保留数表示装置、普通図柄保留数表示装置等の動作を制御する。
【００３５】
演出画像制御装置３６は演出表示装置３５に組み込まれており、液晶パネル３７と共に演出表示装置３５を構成している。演出画像制御装置３６は、主制御装置４０から送られてくるデータに基づいて、演出表示装置３５の液晶パネル３７の表示、すなわち演出表示装置３５の表示を制御する。この表示が透視域１６を透かして遊技者に視認される。なお、演出画像制御装置３６はＣＰＵ、ＲＯＭ、ＲＡＭ、各種のカウンタ、入力回路、出力回路等を備えている（詳細の図示は省略）。
【００３６】
次に、パチンコ機の動作を説明する。
大入賞口６、普通入賞口７、８、可変始動入賞装置１２又は始動入賞口１３に遊技球が入賞すれば、それぞれ設定された個数の賞球が払い出される。
【００３７】
遊技球が通過口１５を通過すると通過口スイッチ１５ａの検出信号が主制御装置４０に入力されるので、主制御装置４０は普通図柄抽選を行い、その結果を普通図柄表示装置の普通図柄で表示させ、抽選が当たりであれば当たりを示す普通図柄の確定表示後に可変始動入賞装置１２を開放させる。
【００３８】
この可変始動入賞装置１２は、規定個数（例えば２個）の入賞があれば閉鎖され、規定個数の入賞がなくても規定時間（例えば３秒）に達すると閉鎖される。
可変始動入賞装置１２又は始動入賞口１３に入賞すると、それぞれ始動入賞スイッチ１２ａ、１３ａの検出信号が主制御装置４０に入力されるので、主制御装置４０は大当たり抽選を行う。
【００３９】
詳しくは図５に示すように、始動入賞スイッチ１２ａ又は始動入賞スイッチ１３ａの検出信号が入力されると（Ｓ１：ＹＥＳ）、大当たり抽選用の乱数、図柄決定用の乱数、変動時間決定用の乱数等を読み込み（Ｓ２）、保留記憶が満杯（本実施例では保留４個で満杯）でなければ（Ｓ３：ＮＯ）、Ｓ２で読み込んだ各乱数を保留記憶する（Ｓ４）。
【００４０】
保留記憶が有って（Ｓ５：ＹＥＳ）、特別図柄の変動表示中又は確定表示中でなければ（Ｓ６：ＮＯ）、大当たり判定を行う（Ｓ７）。具体的には、大当たり抽選用の乱数を予め定められている当たり値（複数ある）と照合して、いずれかの当たり値と一致すれば大当たり、そうでなければ外れと判定する。
【００４１】
大当たり判定で大当たりなら（Ｓ８：ＹＥＳ）、図柄決定用の乱数に基づいて大当たり図柄を決定し、変動時間決定用の乱数に基づいて変動時間を決定する（Ｓ９）。外れの場合も（Ｓ８：ＮＯ）、同様に外れ図柄と変動時間を決定する（Ｓ１０）。なお、大当たり図柄は０００、１１１、２２２〜９９９の３桁揃いの特別図柄であり、それら以外が外れ図柄である。
【００４２】
Ｓ９又はＳ１０に続いて、図６に示す特別図柄表示制御を行う。
この処理では、まず透明ＥＬ表示器３１に特別図柄の変動表示を開始させる（Ｓ２１）。なお、液晶シャッタ３２は閉じてはおらず、背面から前面へと光を透過させる（その逆も可）。
【００４３】
また、Ｓ９又はＳ１０で決定した特別図柄と変動時間を指定する変動開始コマンドを演出表示装置３５（演出画像制御装置３６）に送信する（Ｓ２２）。演出画像制御装置３６は、このコマンドを受信すると、最終的に確定表示する演出図柄及び確定表示までの表示パターンを決定して、液晶パネル３７を制御して演出図柄の変動表示を開始させる。この際、演出図柄の変動表示だけでなく、背景画像やキャラクタ等の画像も表示させる。
【００４４】
透明ＥＬ表示器３１で特別図柄の変動表示が行われるが、液晶シャッタ３２が閉じていないので、図７（ｂ）に例示するように特別図柄の背景は主に演出表示装置３５に由来する光で明るくてあまり目立たない。また、変動表示されている特別図柄以外は特別図柄表示装置３０が透明であるから、演出表示装置３５の表示を損なわない。なお、透明ＥＬ表示器３１に印加する電圧を低めてＥＬ素子（７セグメント３１ａ）の輝度を抑制すれば、特別図柄を一層目立たなくでき、演出表示装置３５の表示もより損なわない。
【００４５】
主制御装置４０は、特別図柄の変動を例えば左の７セグメント３１ａ、右の７セグメント３１ａ、中央の７セグメント３１ａの順で停止させるが、左と右の７セグメント３１ａの変動が停止したときに、これらの数字が揃っていればいわゆるリーチである。
【００４６】
そのリーチになるか否かは（当然ながら大当たり図柄になるか否かも）主制御装置４０には判っているから、リーチになるときは（Ｓ２３：ＹＥＳ）適宜のタイミングで、例えばリーチになる以前に、或いはリーチと同時に液晶シャッタ３２を閉じさせて背面から前面への光を遮断する（Ｓ２４）。
【００４７】
なお、特別図柄がリーチになるときは、基本的に演出図柄もリーチになるが、両者でリーチが表示されるタイミングが一致するとは限らない。
そして、中央の７セグメント３１ａでの変動速度を低下させる等のリーチ表示を行う（Ｓ２５）。ここでは液晶シャッタ３２が閉じていて背面からの光が遮断されるので、特別図柄の背景が暗くなってコントラストが高くなる。従って、透明ＥＬ表示器３１（特別図柄表示装置３０）の特別図柄の表示が目立つ。
【００４８】
なお、透明ＥＬ表示器３１に印加する電圧を低めてＥＬ素子（７セグメント３１ａ）の輝度を抑制していたときは、液晶シャッタ３２を閉じるとともに印加電圧を高めれば、特別図柄が一層目立つ。
【００４９】
一方、リーチにならないときは（Ｓ２３：ＮＯ）液晶シャッタ３２は閉じられない。
次に主制御装置４０は、変動表示の開始（Ｓ２１）からＳ９又はＳ１０で決定した変動時間が経過するのを待って（Ｓ２６：ＹＥＳ）、Ｓ９又はＳ１０で決定した特別図柄を確定表示させる（Ｓ２７）。
【００５０】
また、確定コマンドを演出表示装置３５（演出画像制御装置３６）に送信する（Ｓ２８）。演出画像制御装置３６は、このコマンドを受信すると、液晶パネル３７を制御して演出図柄を確定表示させる。ここで確定表示される演出図柄は、当たり外れについては特別図柄と一致するが（即ち、Ｓ７の大当たり判定の結果を示すが）、図柄構成は必ずしも一致しない。例えば特別図柄が７７７であるからといって疑似図柄も７７７とはならない。或いは特別図柄が数字で構成されていても疑似図柄は数字以外で構成されることもある。
【００５１】
特別図柄を確定表示すると、その確定表示状態を遊技者が図柄を認識可能な時間（但し、０．５秒とか１秒とかの短時間）だけ継続した後に特別図柄の表示を消す。このとき、液晶シャッタ３２が閉じていれば、これを開放させる。
【００５２】
確定表示された特別図柄が大当たり図柄であれば、上述したように大当たり遊技が実行される。大当たり遊技の内容（進行手順、大入賞口６の動作、継続条件、終了条件等）は、周知の第１種パチンコ機と同様であるから説明を省略する。
【００５３】
以上説明した通り、本実施例のパチンコ機は透明ＥＬ表示器３１とその背後の液晶シャッタ３２とで構成される特別図柄表示装置３０を備えている。
その特別図柄表示装置３０は、透明な遊技盤１０の背面１０ａに設けられた凹部１０ｂに嵌合状に収容されており、遊技盤１０の背後に配置された演出表示装置３５の画面左下隅に重なる位置にある。
【００５４】
このため、特別図柄表示装置３０の表示が演出表示装置３５の表示に重なるのであるが、透明ＥＬ表示器３１の表示が、単に変動表示しているときや、外れの表示のときは、液晶シャッタ３２を開放して背後から前面へと光を透過させるので、透明ＥＬ表示器３１の表示を目立たなくできる。この場合、透明ＥＬ表示器３１に印加する電圧を低めてＥＬ素子（７セグメント３１ａ）の輝度を抑制することで、さらに目立たなくできる。
【００５５】
一方、透明ＥＬ表示器３１の表示がリーチ表示になるときは、液晶シャッタ３２を閉じて背後から前面への光を遮断してコントラストを高めることで、透明ＥＬ表示器３１の表示を目立たせる。透明ＥＬ表示器３１に印加する電圧を低めてＥＬ素子（７セグメント３１ａ）の輝度を抑制していたときは、液晶シャッタ３２を閉じるとともに印加電圧を高めて、特別図柄を一層目立せることができる。このコントラストが高くて特別図柄が良く目立つ状態は、特別図柄の確定表示が終了するまで維持される。
【００５６】
特別図柄表示装置３０は、特別図柄の表示を行っていないときは図７（ａ）に示すように透明であるから演出表示装置３５の表示を損なわない。
特別図柄が単に変動表示しているときや外れの表示のときは、図７（ｂ）に示すように、背景が透明であるから特別図柄の表示は目立たず、演出表示装置３５の表示を損なわない。
【００５７】
特別図柄がリーチ表示になるときは、特別図柄の確定表示が終了するまで液晶シャッタ３２を閉じてコントラストを高めて、特別図柄を目立たせる。
つまり、透明ＥＬ表示器３１の表示が不明瞭であっても問題ないときは、透明ＥＬ表示器３１の表示を目立たなくすることで、演出表示装置３５の表示を損なわず、透明な遊技盤１０との調和を図り、透明ＥＬ表示器３１の表示を明瞭にするのが好ましいときは、透明ＥＬ表示器３１の表示を目立たせることができる。
【００５８】
また、液晶シャッタ３２の開放時は透明ＥＬ表示器３１の輝度を低くし、液晶シャッタ３２の閉鎖時は透明ＥＬ表示器３１の輝度を高くすることで、上記の効果を一層良好にできる。
【図面の簡単な説明】
【００５９】
【図１】実施例のパチンコ機の遊技盤の正面図。
【図２】実施例の特別図柄表示装置の構造を説明する分解斜視図。
【図３】実施例の特別図柄表示装置の取付状態を説明する断面図。
【図４】実施例のパチンコ機の制御系（主要部）のブロック図。
【図５】実施例で主制御装置が実行する大当たり抽選処理のフローチャート。
【図６】実施例で主制御装置が実行する特別図柄表示制御処理のフローチャート。
【図７】実施例の特別図柄表示装置の表示状態の説明図。
【符号の説明】
【００６０】
４・・・遊技領域、
６・・・大入賞口、
７、８・・・普通入賞口、
１０・・・遊技盤、
１０ａ・・・背面、
１０ｂ・・・凹部、
１２・・・可変始動入賞装置、
１３・・・始動入賞口、
１４・・・複合入賞装置、
１５・・・通過口、
１６・・・透視域、
１７・・・ガード庇、
１８・・・ステージ、
１９・・・風車、
２０・・・遊技釘、
２１・・・レールピン、
３０・・・特別図柄表示装置（表示装置）、
３１・・・透明ＥＬ表示器（透明表示器）、
３２・・・液晶シャッタ（シャッタ手段）、
３５・・・演出表示装置、
３６・・・演出画像制御装置、
３７・・・液晶パネル、
４０・・・主制御装置（表示制御手段、透過光量制御手段）。
【図１】
2007020716.tif 000003
【図２】
2007020716.tif 000004
【図３】
2007020716.tif 000005
【図４】
2007020716.tif 000006
【図５】
2007020716.tif 000007
【図６】
2007020716.tif 000008
【図７】
2007020716.tif 000009